(57)【要約】【課題】高精度および低コストで実現できる分圧回路を提供すること。【解決手段】複数の抵抗Ｒａ〜Ｒｅを有し、電圧源Ｅの電圧を複数の抵抗による抵抗分圧によって分圧する分圧回路であって、複数の抵抗Ｒａ〜Ｒｅは、温度特性がほぼ等しくかつ同一抵抗値を有する抵抗である。それにより、高精度の分圧回路を低コストで実現できる。また、従来のように高精度・温度変動小の抵抗を採用しないで済むため、コストダウンが可能となる。また、従来使用される高精度・温度変動小の抵抗（薄膜抵抗）は一般に信頼性に劣るため、本発明によれば、回路信頼性を向上できる。【選択図】図１
2007085901.tif 000002
【特許請求の範囲】
【請求項１】
複数の抵抗を有し、電圧源の電圧を前記複数の抵抗による抵抗分圧によって分圧する分圧回路であって、
前記複数の抵抗は、温度特性がほぼ等しくかつ同一抵抗値を有する抵抗であることを特徴とする分圧回路。
【請求項２】
請求項１記載の分圧回路において、
前記複数の抵抗は、同一品番の抵抗であることを特徴とする分圧回路。
【発明の詳細な説明】
【技術分野】
【０００１】
本発明は、抵抗を用いた分圧回路に関する。
【背景技術】
【０００２】
図４は、一般的な抵抗分圧回路の構成を示す回路図である。図４において、電圧源Ｅの電圧を絶縁を保った状態で、抵抗Ｒａ，ＲｂおよびＲｃで抵抗分圧し、たとえば、５：１分圧で電圧計Ｖでモニタする場合、各抵抗の抵抗値はＲａ＝Ｒｂ＝２Ｒｃの関係となるように設定される。それにより、電圧計Ｖには、Ｅ／５の電圧が供給される。この時使用される抵抗Ｒａ，Ｒｂ，Ｒｃが同一タイプであれば、分圧比５：１に対して温度特性比は３：１になってしまい、抵抗の温度特性が分圧誤差要因になってしまう。
【発明の開示】
【発明が解決しようとする課題】
【０００３】
そこで、たとえば抵抗Ｒａ，Ｒｂとして、抵抗Ｒｃに対して２倍の温度変動特性を持ったタイプの抵抗を採用しても、この場合は抵抗のタイプ自体が、抵抗Ｒａ，Ｒｂと抵抗Ｒｃで異なってしまうことになるため、結局、温度変動比は５：１にならず、温度特性が分圧誤差要因になってしまう。
【０００４】
また、絶対精度の良い抵抗を使用すれば、分圧誤差は軽減できるが、どんなに温度特性が良い抵抗を使用しても、周囲温度による抵抗値の変動要因がある限り、周囲温度による分圧比の変動が発生するため、測定回路上の誤差要因となってしまう。
【０００５】
そこで本発明は、上述した課題に鑑み、高精度および低コストで実現できる分圧回路を提供することを目的としている。
【課題を解決するための手段】
【０００６】
請求項１記載の発明は、複数の抵抗を有し、電圧源の電圧を前記複数の抵抗による抵抗分圧によって分圧する分圧回路であって、前記複数の抵抗は、温度特性がほぼ等しくかつ同一抵抗値を有する抵抗であることを特徴とする。
【０００７】
請求項２記載の発明は、請求項１記載の分圧回路において、前記複数の抵抗は、同一品番の抵抗であることを特徴とする。
【発明の効果】
【０００８】
請求項１記載の発明によれば、複数の抵抗を有し、電圧源の電圧を複数の抵抗による抵抗分圧によって分圧する分圧回路であって、複数の抵抗は、温度特性がほぼ等しくかつ同一抵抗値を有する抵抗であるので、高精度の分圧回路を低コストで実現できる。また、従来のように高精度・温度変動小の抵抗を採用しないで済むため、コストダウンが可能となる。また、従来使用される高精度・温度変動小の抵抗（薄膜抵抗）は一般に信頼性に劣るため、本発明によれば、回路信頼性を向上できる。
【０００９】
請求項２記載の発明によれば、請求項１記載の分圧回路において、複数の抵抗は、同一品番の抵抗であるので、請求項１の効果に加えて、使用する抵抗の品番を削減できる。
【発明を実施するための最良の形態】
【００１０】
以下、本発明の実施の形態について図面を参照して説明する。
【００１１】
（第１の実施形態）図１は、本発明に係る分圧回路の第１の実施形態の構成を示す回路図である。分圧回路は、電圧源Ｅの電圧を絶縁を保った状態で、抵抗Ｒａ，Ｒｂ，Ｒｃ，ＲｄおよびＲｅで抵抗分圧し、たとえば、５：１分圧で電圧計Ｖでモニタする。各抵抗は、温度特性がほぼ等しい同一タイプとされると共に、抵抗値は、同一となるように、すなわちＲａ＝Ｒｂ＝Ｒｃ＝Ｒｄ＝Ｒｅの関係となるように設定される。最も好適には、各抵抗は、高精度の同一品番の抵抗が用いられる。
【００１２】
それにより、電圧計Ｖには、Ｅ×｛Ｒｃ／（Ｒａ＋Ｒｂ＋Ｒｃ＋Ｒｄ＋Ｒｅ）｝＝Ｅ／５の電圧が供給される。このとき、分圧比５：１に対して温度特性比も５：１になり、温度により相対的な分圧比の誤差は発生しないため、抵抗の温度特性が分圧誤差要因にならない。分圧精度は、各抵抗の絶対精度で決まるため、１種類の絶対精度の良い抵抗を使用するだけで、部品品番を削減しつつ、周囲温度変動に対しても精度の変動しない、高精度の分圧回路が構成できる。
【００１３】
また、２倍の抵抗値を有する抵抗Ｒａ，Ｒｂに代えて、その１／２の抵抗値の抵抗Ｒａ，Ｒｂ，Ｒｄ，Ｒｅを用いると、抵抗値を小さくできるので、精度の良い抵抗の入手が容易となる。
【００１４】
なお、各抵抗を全て１つのブロック抵抗上で構成できれば、各抵抗間の相対精度も向上するだけでなく、各抵抗が受ける周囲温度の影響も同じになるため、さらに精度の良い分圧回路が提供できる。
【００１５】
（第２の実施形態）図２は、本発明に係る分圧回路の第２の実施形態の構成を示す回路図である。分圧回路は、電圧源Ｅの電圧を絶縁を保った状態で、抵抗Ｒａ，Ｒｂ，ＲｃおよびＲｄで抵抗分圧し、たとえば、２：１分圧で電圧計Ｖでモニタする。各抵抗は、温度特性がほぼ等しい同一タイプとされると共に、抵抗値は、同一となるように、すなわちＲａ＝Ｒｂ＝Ｒｃ＝Ｒｄの関係となるように設定される。
【００１６】
それにより、電圧計Ｖには、Ｅ×｛（Ｒｃ＋Ｒｄ）／（Ｒａ＋Ｒｂ＋Ｒｃ＋Ｒｄ）｝＝Ｅ／２の電圧が供給される。このとき、分圧比２：１に対して温度特性比も２：１になり、温度により相対的な分圧比の誤差は発生しないため、抵抗の温度特性が分圧誤差要因にならない。
【００１７】
（第３の実施形態）図３は、本発明に係る分圧回路の第３の実施形態の構成を示す回路図である。分圧回路は、電圧源Ｅがモニタ回路ＧＮＤに接続される分圧回路であり、抵抗Ｒａ，Ｒｂ，およびＲｃで抵抗分圧し、たとえば、３：１分圧で電圧計Ｖでモニタする。各抵抗は、温度特性がほぼ等しい同一タイプとされると共に、抵抗値は、同一となるように、すなわちＲａ＝Ｒｂ＝Ｒｃの関係となるように設定される。
【００１８】
それにより、電圧計Ｖには、Ｅ×｛Ｒｃ／（Ｒａ＋Ｒｂ＋Ｒｃ）｝＝Ｅ／３の電圧が供給される。このとき、分圧比３：１に対して温度特性比も３：１になり、温度により相対的な分圧比の誤差は発生しないため、抵抗の温度特性が分圧誤差要因にならない。
【００１９】
以上のように、本発明による分圧回路は、温度により相対的な分圧比の誤差は発生しないため、抵抗の温度特性が分圧誤差要因にならず、高精度の分圧回路を低コストで実現できる。また、従来のように高精度・温度変動小の抵抗を採用しないで済むため、コストダウンが可能となる。また、従来使用される高精度・温度変動小の抵抗（薄膜抵抗）は一般に信頼性に劣るため、本発明によれば、回路信頼性を向上できる。
【００２０】
また、同一抵抗値の複数の抵抗を採用することにより、異なる抵抗値を有する少ない個数の抵抗を用いて構成された従来の分圧回路に比較して、抵抗の個数が多くなって抵抗配置のスペースが若干増大するものの、どんな分圧比にも対応できかつ温度特性による分圧比変動がなくなるという大きな利点のある分圧回路を構成することができる。
【００２１】
以上の通り、本発明の実施形態について説明したが、本発明はこれに限らず、種々の変形、応用が可能である。
【００２２】
たとえば、実施の形態１では、５：１分圧回路を例として示したが、本発明は、使用する抵抗数を（電源ライン片側で）２，４，６・・・偶数個増減することにより、３：１、５：１、７：１・・・奇数：１の抵抗分圧による分圧回路に対して有効である。
【００２３】
また、実施の形態２では、２：１分圧回路を例として示したが、本発明は、使用する抵抗数を（電源ライン片側で）１，３，５・・・奇数個増減することにより、２：１、４：１、６：１・・・偶数：１の抵抗分圧による分圧回路に対しても有効である。
【図面の簡単な説明】
【００２４】
【図１】本発明に係る分圧回路の第１の実施形を示す回路図である。（第１の実施形態）
【図２】本発明に係る分圧回路の第２の実施形を示す回路図である。（第２の実施形態）
【図３】本発明に係る分圧回路の第３の実施形を示す回路図である。（第３の実施形態）
【図４】一般的な抵抗分圧回路の構成を示す回路図である。
【符号の説明】
【００２５】
Ｅ  電圧源
Ｒａ  抵抗
Ｒｂ  抵抗
Ｒｃ  抵抗
Ｒｄ  抵抗
Ｒｅ  抵抗
【図１】
2007085901.tif 000003
【図２】
2007085901.tif 000004
【図３】
2007085901.tif 000005
【図４】
2007085901.tif 000006